(57)【特許請求の範囲】
【請求項１】
薬品を用いる土壌浄化処理を目的として、土壌浄化用液状薬品を土壌混練装置を用いて土壌中に注入する方法において、
土壌性質の変化により生じる該土壌混練装置にかかる負荷の変化あるいは混練速度の変化を検知し、該検知情報に基づいて浄化対象土壌の量または性質を判定し、判定された浄化対象土壌の量または性質に対して該液状薬品が所定注入量となるように、該液状薬品の注入量もしくは注入圧を自動制御することを特徴とする土壌浄化用薬品注入方法。
【請求項２】
薬品を用いる土壌浄化処理を目的として、土壌浄化用液状薬品を土壌混練装置を用いて土壌中に注入する方法において、
該液状薬品を注入する土壌の深さを検知し、検知した深さ位置に対して該液状薬品が所定注入量となるように、該液状薬品の注入量または注入圧を自動制御することを特徴とする土壌浄化用薬品注入方法。
【請求項３】
薬品を用いる土壌浄化処理を目的として、薬品を液状媒体に溶解あるいは分散して土壌浄化用液状薬品としてから土壌混練装置を用いて土壌中に注入する方法において、
土壌性質の変化により生じる該土壌混練装置にかかる負荷の変化または混練速度の変化を検知し、該検知情報に基づいて浄化対象土壌の量もしくは性質を判定し、判定された浄化対象土壌の量もしくは性質に対して該液状薬品が所定成分比となるように、該薬品の該液状媒体に対する溶解あるいは分散量を自動制御することを特徴とする土壌浄化用薬品注入方法。
【請求項４】
薬品を用いる土壌浄化処理を目的として、薬品を液状媒体に溶解あるいは分散して土壌浄化用液状薬品としてから土壌混練装置を用いて土壌中に注入する方法において、
該液状薬品を注入する土壌の深さを検知し、検知した深さ位置に対して該液状薬品が所定成分比となるように、該薬品の該液状媒体に対する溶解あるいは分散量を自動制御することを特徴とする土壌浄化用薬品注入方法。
【請求項５】
薬品を用いる土壌浄化処理を目的として、土壌浄化用液状薬品を土壌中に設置された多孔パイプを用いて土壌中に注入する方法において、
土壌性質の変化により生じる該多孔パイプ内の注入圧力の変化を検知し、該検知情報に基づいて浄化対象土壌の量または性質を判定し、判定された浄化対象土壌の量または性質に対して該液状薬品が所定注入量となるように、該液状薬品の注入量もしくは注入圧を自動制御することを特徴とする土壌浄化用薬品注入方法。
【請求項６】
薬品を用いる土壌浄化処理を目的として、土壌浄化用液状薬品を土壌中に設置された多孔パイプを用いて土壌中に注入する方法において、
該液状薬品を注入する土壌の深さを検知し、検知した深さ位置に対して該液状薬品が所定注入量となるように、該液状薬品の注入量または注入圧を自動制御することを特徴とする土壌浄化用薬品注入方法。
【請求項７】
薬品を用いる土壌浄化処理を目的として、薬品を液状媒体に溶解または分散して土壌浄化用液状薬品としてから土壌中に設置された多孔パイプを用いて土壌中に注入する方法において、
土壌性質の変化により生じる該多孔パイプ内の注入圧力の変化を検知し、該検知情報に基づいて浄化対象土壌の量もしくは性質を判定し、判定された浄化対象土壌の量もしくは性質に対して該液状薬品が所定成分比となるように、該複数種の薬品の該液状媒体に対する溶解または分散量を自動制御することを特徴とする土壌浄化用薬品注入方法。
【請求項８】
薬品を用いる土壌浄化処理を目的として、薬品を液状媒体に溶解または分散して土壌浄化用液状薬品としてから土壌中に設置された多孔パイプを用いて土壌中に注入する方法において、
該液状薬品を注入する土壌の深さを検知し、検知した深さ位置に対して該液状薬品が所定成分比となるように、該薬品の該液状媒体に対する溶解または分散量を自動制御することを特徴とする土壌浄化用薬品注入方法。
【請求項９】
前記液状媒体に溶解もしくは分散する薬品が複数種であることを特徴とする請求項３、４、７または８に記載の土壌浄化用薬品注入方法。
【請求項１０】
土壌浄化用液状薬品を土壌中に注入するための土壌混練装置と、土壌性質の変化により生じる該土壌混練装置にかかる負荷の変化あるいは混練速度の変化を検知する手段と、該検知情報に基づいて浄化対象土壌の量または性質を判定し判定された浄化対象土壌の量または性質に対して該液状薬品が所定注入量となるように該液状薬品の注入量もしくは注入圧を自動制御する手段とを有することを特徴とする土壌浄化用薬品注入装置。
【請求項１１】
土壌浄化用液状薬品を土壌中に注入するための土壌混練装置と、該液状薬品を注入する土壌の深さを検知する手段と、検知した深さ位置に対して該液状薬品が所定注入量となるように該液状薬品の注入量または注入圧を自動制御する手段とを有することを特徴とする土壌浄化用薬品注入装置。
【請求項１２】
薬品を液状媒体に溶解あるいは分散して土壌浄化用液状薬品を調製する手段と、該土壌浄化用液状薬品を土壌中に注入するための土壌混練装置とを有する土壌浄化用薬品注入装置において、
土壌性質の変化により生じる該土壌混練装置にかかる負荷の変化あるいは混練速度の変化を検知する手段と、該検知情報に基づいて浄化対象土壌の量もしくは性質を判定し判定された浄化対象土壌の量もしくは性質に対して該液状薬品が所定成分比となるように該薬品の該液状媒体に対する溶解あるいは分散量を自動制御するための手段とを有することを特徴とする土壌浄化用薬品注入装置。
【請求項１３】
薬品を液状媒体に溶解あるいは分散して土壌浄化用液状薬品を調製する手段と、該土壌浄化用液状薬品を土壌中に注入するための土壌混練装置とを有する土壌浄化用薬品注入装置において、
該液状薬品を注入する土壌の深さを検知する手段と、検知した深さ位置に対して該液状薬品が所定成分比となるように該薬品の該液状媒体に対する溶解あるいは分散量を自動制御するための手段とを有することを特徴とする土壌浄化用薬品注入装置。
【請求項１４】
土壌浄化用液状薬品を土壌中に注入するための土壌中に設置された多孔パイプと、土壌性質の変化により生じる該多孔パイプ内の注入圧力の変化を検知する手段と、該検知情報に基づいて浄化対象土壌の量または性質を判定し判定された浄化対象土壌の量または性質に対して該液状薬品が所定注入量となるように該液状薬品の注入量もしくは注入圧を自動制御する手段とを有することを特徴とする土壌浄化用薬品注入装置。
【請求項１５】
土壌浄化用液状薬品を土壌中に注入するための土壌中に設置された多孔パイプと、該液状薬品を注入する土壌の深さを検知する手段と、検知した深さ位置に対して該液状薬品が所定注入量となるように該液状薬品の注入量または注入圧を自動制御する手段とを有することを特徴とする土壌浄化用薬品注入装置。
【請求項１６】
薬品を液状媒体に溶解あるいは分散して土壌浄化用液状薬品を調製する手段と、該土壌浄化用液状薬品を土壌中に注入するための土壌中に設置された多孔パイプとを有する土壌浄化用薬品注入装置において、
土壌性質の変化により生じる該多孔パイプ内の注入圧力の変化を検知する手段と、該検知情報に基づいて浄化対象土壌の量もしくは性質を判定し判定された浄化対象土壌の量もしくは性質に対して該液状薬品が所定成分比となるように該薬品の該液状媒体に対する溶解あるいは分散量を自動制御するための手段とを有することを特徴とする土壌浄化用薬品注入装置。
【請求項１７】
薬品を液状媒体に溶解あるいは分散して土壌浄化用液状薬品を調製する手段と、該土壌浄化用液状薬品を土壌中に注入するための土壌中に設置された多孔パイプとを有する土壌浄化用薬品注入装置において、
該液状薬品を注入する土壌の深さを検知する手段と、検知した深さ位置に対して該液状薬品が所定成分比となるように該薬品の該液状媒体に対する溶解あるいは分散量を自動制御するための手段とを有することを特徴とする土壌浄化用薬品注入装置。
【請求項１８】
薬品を液状媒体に溶解あるいは分散して土壌浄化用液状薬品を調製する手段が、該薬品を液状媒体に投入する手段と、土壌中に注入するための液状薬品を最終的に調製するための槽とを有することを特徴とする請求項１２、１３、１６または１７に記載の土壌浄化用薬品注入装置。
【発明の詳細な説明】
【０００１】
【発明の属する技術分野】
本発明は、有害物質等により汚染された土壌に薬品を投入して浄化処理をするに際し、当該土壌の化学的および物理的性状に対応して、当該薬品の注入量もしくは注入圧を自動的に制御する土壌浄化用薬品注入方法および装置に関する。
【０００２】
【従来の技術】
従来から、有害物質等により汚染された土壌を浄化する種々処理法が提案されている。これら処理法の多くは、選択または調製された薬品を散布器や注入器を用いて汚染した土壌に混入することによりなされている。通常、土壌汚染の性質や程度が多岐にわたるため、注入する薬品の量および種類も多岐にわたるものとなる。
従来この種の薬品量および成分比の制御は手動にて行う方法および装置が使用されているために、土壌浄化のように大量の、しかも場合によっては多種の薬品を注入量および成分比を変動させて注入するには、作業員の判断により注入量の操作を行うか、あるいは、施工を中断して成分比を変動させる方法が取られている。この方法では、作業員の熟練度により施工精度が異なることによる土壌浄化処理の不均一、あるいは、施工中の注入薬品の成分比の変動にかかる手間が膨大になるなどの欠点があった。
【０００３】
【発明が解決しようとする課題】
本発明はこれらの欠点を克復するために、液体状薬品を土壌中に注入して有害物質等により汚染された土壌の浄化を図ろうとする際に、液体状薬品の注入量および薬品の成分比を自動で制御することにより、土壌浄化処理における注入精度の安定、注入量および注入薬品成分比の操作に伴う作業の省力化を図ることができる方法および装置を提供しようとするものである。
【０００４】
【課題を解決するための手段】
すなわち、本発明の課題は以下の各手段により解決される。
（１）薬品を用いる土壌浄化処理を目的として、土壌浄化用液状薬品を土壌混練装置を用いて土壌中に注入する方法において、
土壌性質の変化により生じる該土壌混練装置にかかる負荷の変化あるいは混練速度の変化を検知し、該検知情報に基づいて浄化対象土壌の量または性質を判定し、判定された浄化対象土壌の量または性質に対して該液状薬品が所定注入量となるように、該液状薬品の注入量もしくは注入圧を自動制御することを特徴とする土壌浄化用薬品注入方法。
【０００５】
（２）薬品を用いる土壌浄化処理を目的として、土壌浄化用液状薬品を土壌混練装置を用いて土壌中に注入する方法において、
該液状薬品を注入する土壌の深さを検知し、検知した深さ位置に対して該液状薬品が所定注入量となるように、該液状薬品の注入量または注入圧を自動制御することを特徴とする土壌浄化用薬品注入方法。
【０００６】
（３）薬品を用いる土壌浄化処理を目的として、薬品を液状媒体に溶解あるいは分散して土壌浄化用液状薬品としてから土壌混練装置を用いて土壌中に注入する方法において、
土壌性質の変化により生じる該土壌混練装置にかかる負荷の変化または混練速度の変化を検知し、該検知情報に基づいて浄化対象土壌の量もしくは性質を判定し、判定された浄化対象土壌の量もしくは性質に対して該液状薬品が所定成分比となるように、該薬品の該液状媒体に対する溶解あるいは分散量を自動制御することを特徴とする土壌浄化用薬品注入方法。
【０００７】
（４）薬品を用いる土壌浄化処理を目的として、薬品を液状媒体に溶解あるいは分散して土壌浄化用液状薬品としてから土壌混練装置を用いて土壌中に注入する方法において、
該液状薬品を注入する土壌の深さを検知し、検知した深さ位置に対して該液状薬品が所定成分比となるように、該薬品の該液状媒体に対する溶解あるいは分散量を自動制御することを特徴とする土壌浄化用薬品注入方法。
【０００８】
（５）薬品を用いる土壌浄化処理を目的として、土壌浄化用液状薬品を土壌中に設置された多孔パイプを用いて土壌中に注入する方法において、
土壌性質の変化により生じる該多孔パイプ内の注入圧力の変化を検知し、該検知情報に基づいて浄化対象土壌の量または性質を判定し、判定された浄化対象土壌の量または性質に対して該液状薬品が所定注入量となるように、該液状薬品の注入量もしくは注入圧を自動制御することを特徴とする土壌浄化用薬品注入方法。
【０００９】
（６）薬品を用いる土壌浄化処理を目的として、土壌浄化用液状薬品を土壌中に設置された多孔パイプを用いて土壌中に注入する方法において、
該液状薬品を注入する土壌の深さを検知し、検知した深さ位置に対して該液状薬品が所定注入量となるように、該液状薬品の注入量または注入圧を自動制御することを特徴とする土壌浄化用薬品注入方法。
【００１０】
（７）薬品を用いる土壌浄化処理を目的として、薬品を液状媒体に溶解または分散して土壌浄化用液状薬品としてから土壌中に設置された多孔パイプを用いて土壌中に注入する方法において、
土壌性質の変化により生じる該多孔パイプ内の注入圧力の変化を検知し、該検知情報に基づいて浄化対象土壌の量もしくは性質を判定し、判定された浄化対象土壌の量もしくは性質に対して該液状薬品が所定成分比となるように、該複数種の薬品の該液状媒体に対する溶解または分散量を自動制御することを特徴とする土壌浄化用薬品注入方法。
【００１１】
（８）薬品を用いる土壌浄化処理を目的として、薬品を液状媒体に溶解または分散して土壌浄化用液状薬品としてから土壌中に設置された多孔パイプを用いて土壌中に注入する方法において、
該液状薬品を注入する土壌の深さを検知し、検知した深さ位置に対して該液状薬品が所定成分比となるように、該薬品の該液状媒体に対する溶解または分散量を自動制御することを特徴とする土壌浄化用薬品注入方法。
（９）前記液状媒体に溶解もしくは分散する薬品が複数種であることを特徴とする前項（３）（４）、（７）または（８）に記載の土壌浄化用薬品注入方法。
【００１２】
（１０）土壌浄化用液状薬品を土壌中に注入するための土壌混練装置と、土壌性質の変化により生じる該土壌混練装置にかかる負荷の変化あるいは混練速度の変化を検知する手段と、該検知情報に基づいて浄化対象土壌の量または性質を判定し判定された浄化対象土壌の量または性質に対して該液状薬品が所定注入量となるように該液状薬品の注入量もしくは注入圧を自動制御する手段とを有することを特徴とする土壌浄化用薬品注入装置。
（１１）土壌浄化用液状薬品を土壌中に注入するための土壌混練装置と、該液状薬品を注入する土壌の深さを検知する手段と、検知した深さ位置に対して該液状薬品が所定注入量となるように該液状薬品の注入量または注入圧を自動制御する手段とを有することを特徴とする土壌浄化用薬品注入装置。
【００１３】
（１２）薬品を液状媒体に溶解あるいは分散して土壌浄化用液状薬品を調製する手段と、該土壌浄化用液状薬品を土壌中に注入するための土壌混練装置とを有する土壌浄化用薬品注入装置において、
土壌性質の変化により生じる該土壌混練装置にかかる負荷の変化あるいは混練速度の変化を検知する手段と、該検知情報に基づいて浄化対象土壌の量もしくは性質を判定し判定された浄化対象土壌の量もしくは性質に対して該液状薬品が所定成分比となるように該薬品の該液状媒体に対する溶解あるいは分散量を自動制御するための手段とを有することを特徴とする土壌浄化用薬品注入装置。
【００１４】
（１３）薬品を液状媒体に溶解あるいは分散して土壌浄化用液状薬品を調製する手段と、該土壌浄化用液状薬品を土壌中に注入するための土壌混練装置とを有する土壌浄化用薬品注入装置において、
該液状薬品を注入する土壌の深さを検知する手段と、検知した深さ位置に対して該液状薬品が所定成分比となるように該薬品の該液状媒体に対する溶解あるいは分散量を自動制御するための手段とを有することを特徴とする土壌浄化用薬品注入装置。
（１４）土壌浄化用液状薬品を土壌中に注入するための土壌中に設置された多孔パイプと、土壌性質の変化により生じる該多孔パイプ内の注入圧力の変化を検知する手段と、該検知情報に基づいて浄化対象土壌の量または性質を判定し判定された浄化対象土壌の量または性質に対して該液状薬品が所定注入量となるように該液状薬品の注入量もしくは注入圧を自動制御する手段とを有することを特徴とする土壌浄化用薬品注入装置。
【００１５】
（１５）土壌浄化用液状薬品を土壌中に注入するための土壌中に設置された多孔パイプと、該液状薬品を注入する土壌の深さを検知する手段と、検知した深さ位置に対して該液状薬品が所定注入量となるように該液状薬品の注入量または注入圧を自動制御する手段とを有することを特徴とする土壌浄化用薬品注入装置。
（１６）薬品を液状媒体に溶解あるいは分散して土壌浄化用液状薬品を調製する手段と、該土壌浄化用液状薬品を土壌中に注入するための土壌中に設置された多孔パイプとを有する土壌浄化用薬品注入装置において、
土壌性質の変化により生じる該多孔パイプ内の注入圧力の変化を検知する手段と、該検知情報に基づいて浄化対象土壌の量もしくは性質を判定し判定された浄化対象土壌の量もしくは性質に対して該液状薬品が所定成分比となるように該薬品の該液状媒体に対する溶解あるいは分散量を自動制御するための手段とを有することを特徴とする土壌浄化用薬品注入装置。
【００１６】
（１７）薬品を液状媒体に溶解あるいは分散して土壌浄化用液状薬品を調製する手段と、該土壌浄化用液状薬品を土壌中に注入するための土壌中に設置された多孔パイプとを有する土壌浄化用薬品注入装置において、
該液状薬品を注入する土壌の深さを検知する手段と、検知した深さ位置に対して該液状薬品が所定成分比となるように該薬品の該液状媒体に対する溶解あるいは分散量を自動制御するための手段とを有することを特徴とする土壌浄化用薬品注入装置。
（１８）薬品を液状媒体に溶解あるいは分散して土壌浄化用液状薬品を調製する手段が、該薬品を液状媒体に投入する手段と、土壌中に注入するための液状薬品を最終的に調製するための槽とを有することを特徴とする前項（１２）、（１３）、（１６）または（１７）に記載の土壌浄化用薬品注入装置。
【００１７】
【発明の実施の形態】
本発明の実施の形態を図面を参照して説明する。
図１は、自動制御を導入した注入薬品の調製と調製した薬品の土壌への注入処理の形態を示し、バイオレメディエーション（生物学的環境修復）を行なう手法に係る。これに用いる装置群として、薬品溶解装置１を設置し、土壌混練機２や多孔パイプ３から検知する制御情報（土壌混練機の場合：深さ位置、モータ負荷の変化、混練速度の変化等；多孔パイプの場合：深さ位置、注入圧力の変化等）を薬品注入制御機４に入力し、浄化対象土壌の量、性質等も判定し、検知された土壌深さ位置、判定された土壌量、土壌性質に対して、該液状薬品が所定注入量になるように、該制御機４から薬品投入ポンプ５にその吐出圧力、回転数を制御するような信号が送られ、該液状薬品６の注入量または注入圧が自動制御される。
【００１８】
また、上記の検知された深さ位置、判定された土壌量、土壌性質に対して、該液状薬品が所定成分比となるように自動制御することができる。
これは、薬品溶解装置として、上記の検知された深さ位置、判定された土壌量、土壌性質に対して、該液状薬品が所定成分比となるように、該薬品の液状媒体に対する溶解あるいは分散量を自動制御することができる薬品自動溶解装置を用いるものである。
【００１９】
この薬品自動溶解装置については、図２を用いて説明する。
Ａ薬品溶解槽１１は、複数の比重または溶解度の異なる薬品を均一に分散させるためのＡ薬品を溶解する槽であり、該Ａ薬品はＡ薬品添加手段１２から溶媒に添加される。溶媒に添加されるＡ薬品量は、前記の検知された土壌の深さ位置、判定された土壌量、土壌性質に対して、土壌に投入される液状薬品６が所定成分比となるように、前記制御機４からＡ薬品添加手段１２の回転モータに信号が送られ制御される。
【００２０】
Ｂ薬品溶解槽１３は、土壌浄化を行うための微生物が生育に必要とする、複数種の薬品からなるＢ薬品を分散または溶解する槽であり、該Ｂ薬品はＢ薬品添加手段１４から溶媒に添加される。溶媒に添加されるＢ薬品量は、前記Ａ薬品同様、前記の検知された土壌の深さ位置、判定された土壌量、土壌性質に対して、土壌に投入される液状薬品６が所定成分比となるように、前記制御機４からＢ薬品添加手段１２の回転モータに信号が送られ制御される。
【００２１】
混合槽１５は、溶媒に分散または溶解されたＡ薬品液と、溶媒に分散または溶解されたＢ薬品液と、土壌浄化を行うための微生物を活性化するためのＣ薬品とを混合して、土壌に投入するための最終混合薬品とする槽である。混合槽１５に添加されるＣ薬品量は、前記Ａ薬品、Ｂ薬品同様、前記の検知された土壌の深さ位置、判定された土壌量、土壌性質に対して、土壌に投入される液状薬品６が所定成分比となるように、前記制御機４からＣ薬品添加手段１６の回転モータに信号が送られ制御される。また、混合槽１５に導入されるＡ薬品液およびＢ薬品液の量は、前記の検知された土壌の深さ位置、判定された土壌量、土壌性質に対して、土壌に投入される液状薬品６が所定成分比となるように、前記制御機４からＡ薬品液供給ポンプ１７およびＢ薬品液供給ポンプ１８のそれぞれに信号が送られ制御される。
【００２２】
混合槽１５で、前記の検知された土壌の深さ位置、判定された土壌量、土壌性質に対して、所定成分比となるように調製された液状薬品６は、前記の検知された土壌深さ位置、判定された土壌量、土壌性質に対して、該液状薬品６が所定注入量になるように、前記制御機４から薬品投入ポンプ５にその吐出圧力、回転数を制御するような信号が送られ、該液状薬品６の注入量または注入圧が自動制御される。
【００２３】
【発明の効果】
本発明は、土壌の浄化処理をするに際し、薬品の注入に自動制御を組み込むことにより、多様な性状を有する土壌を浄化するに場合に、土壌の汚染度ほかの種々性状に迅速に対応して、投入する薬品量および薬品成分比の調整を自動的に行なうので、土壌の浄化処理の薬品成分および量の調整作業を容易にし、常時省力化と処理の安定化を図ることができる。
【図面の簡単な説明】
【図１】本発明の土壌浄化処理と薬品溶解装置の制御方法の一例である。
【図２】本発明の土壌の浄化処理を実施する調製済注入薬品の成分比の制御方法の一例である。
【符号の説明】
１  薬品溶解装置
２  土壌混練機
３  多孔パイプ
４  薬品注入制御機
５  薬品投入ポンプ
６  液状薬品
１１  Ａ薬品溶解槽
１２  Ａ薬品添加手段
１３  Ｂ薬品溶解槽
１４  Ｂ薬品添加手段
１５  混合槽
１６  Ｃ薬品添加手段
１７  Ａ薬品液供給ポンプ
１８  Ｂ薬品液供給ポンプ
【図１】
0003698395.tif 000002
【図２】
0003698395.tif 000003